(57)【要約】【課題】引戸を開放させた際の指の挟み込みを確実に防止することができる引戸用引手を得る。【解決手段】引戸に取り付けられる引手２２には、第１指挿入部２４、第１指掛かり部２８が形成されている他、曲面状の第１傾斜面３４が形成されている。引戸開放時には、第１指挿入部２４から指を入れて第１指掛かり部２８に指を引っ掛け、図上左側へ押せば引戸が開放されていく。そして、相対する他方の引戸の戸尻側の端部に引手２２が到達すると、相対的に指が当該戸尻側の端部に押されて第１傾斜面３４上を摺動していき、引手２２から押し出される。従って、指の挟み込みを確実に防止できる。【選択図】        図１
2006342552.tif 000002
【特許請求の範囲】
【請求項１】
引戸の開閉方向側の端部付近に設けられ、引戸開閉時に指が掛けられて使用される引戸用引手であって、
前記引手には、引戸開放時に、引手と戸袋、壁又は相対する引戸の端部との距離が縮まった際に引手に引っ掛けられた指を引手から押し出すための押出し手段が設けられている、
ことを特徴とする引戸用引手。
【請求項２】
前記押出し手段は、前記引手が戸袋、壁又は相対する引戸の端部又は端部付近に到達したときに、引手に引っ掛けられた指を引手から押し出す、
ことを特徴とする請求項１記載の引戸用引手。
【請求項３】
前記引手は、引戸閉止時に引戸を閉止方向へ移動させるための指掛かりを生じさせる指掛かり手段を備えている、
ことを特徴とする請求項１又は請求項２記載の引戸用引手。
【請求項４】
前記引手は、
引戸開放時に指を所定量挿入可能な第１指挿入部と、引戸閉止時に指を所定量挿入可能な第２指挿入部と、
第１指挿入部に隣接して配置されると共に引戸開閉方向に対して交差する方向へ立設されかつ引戸開放時の指掛かりとされる第１指掛かり部と、第２指挿入部に隣接して配置されると共に引戸開閉方向に対して交差す方向へ立設されかつ引戸閉止時の指掛かりとされる第２指掛かり部と、
第１指挿入部側に設けられると共に前記押出し手段を構成し、かつ第１指掛かり部から離間するにつれて指掛かり力を減少させる指押出し部と、
を備えている、
ことを特徴とする請求項１又は請求項２記載の引戸用引手。
【請求項５】
前記押出し手段は、少なくとも一部に、指が引っ掛けられる部分から離間するにつれて指の掛かり代が減少する傾斜部を有するものとして構成されている、
ことを特徴とする請求項１乃至請求項４のいずれか一項に記載の引戸用引手。
【請求項６】
前記第２指挿入部側にも前記指押出し部と同一形状の部分が形成されており、前記第１指挿入部と前記第２指挿入部、前記第１指掛かり部と前記第２指掛かり部、前記指押出し部と前記同一形状の部分は、対称に配置されている、
ことを特徴とする請求項４又は請求項５記載の引戸用引手。
【請求項７】
前記押出し手段は、引手内へ進退可能に設けられた移動体によって構成されており、
当該移動体は、引戸の開閉方向及び移動距離に基づいて進退動作がなされている、
ことを特徴とする請求項１又は請求項２記載の引戸用引手。
【発明の詳細な説明】
【技術分野】
【０００１】
本発明は、引戸開放時の指の挟み込み防止を可能とする引戸用引手に関する。
【背景技術】
【０００２】
下記特許文献１には、引戸を開放させた際に戸袋等に指が挟み込まれるのを防止する引戸用引手が開示されている。簡単に説明すると、この先行技術では、引戸の引手付近にハンドルが設けられていると共に、ハンドルよりも引戸開放方向側の所定位置にストッパが出没可能に設けられている。そして、引戸開放時に引手に指を掛け、引戸を開放する方向へ操作すると、その際の操作力がハンドルからストッパに伝達されて、ストッパが引戸の戸面から進出するようになっている。これにより、ストッパが戸袋の端部等に干渉し、引戸の開放動作が停止されるため、指を挟むことも無くなるというものである。
【特許文献１】特開２００３−１９３７１１号公報
【発明の開示】
【発明が解決しようとする課題】
【０００３】
しかしながら、上記先行技術による場合、ハンドルへの操作力が不十分であった場合には、ストッパが引戸の戸面から進出せず、ストッパとしての機能を果たさないことになる。特に引戸を開け始める瞬間にはストッパを進出させるだけの力が加わるが、引戸が全開される間際では指は引手に添えられている程度となることが多く、ストッパが予定通りに進出しないことも充分に考えられる。
【０００４】
本発明は上記事実を考慮し、引戸を開放させた際の指の挟み込みを確実に防止することができる引戸用引手を得ることが目的である。
【課題を解決するための手段】
【０００５】
請求項１記載の本発明に係る引戸用引手は、引戸の開閉方向側の端部付近に設けられ、引戸開閉時に指が掛けられて使用される引戸用引手であって、前記引手には、引戸開放時に、引手と戸袋、壁又は相対する引戸の端部との距離が縮まった際に引手に引っ掛けられた指を引手から押し出すための押出し手段が設けられている、ことを特徴としている。
【０００６】
請求項２記載の本発明に係る引戸用引手は、請求項１記載の発明において、前記押出し手段は、前記引手が戸袋、壁又は相対する引戸の端部又は端部付近に到達したときに、引手に引っ掛けられた指を引手から押し出す、ことを特徴としている。
【０００７】
請求項３記載の本発明に係る引戸用引手は、請求項１又は請求項２記載の発明において、前記引手は、引戸閉止時に引戸を閉止方向へ移動させるための指掛かりを生じさせる指掛かり手段を備えている、ことを特徴としている。
【０００８】
請求項４記載の本発明に係る引戸用引手は、請求項１又は請求項２記載の発明において、前記引手は、引戸開放時に指を所定量挿入可能な第１指挿入部と、引戸閉止時に指を所定量挿入可能な第２指挿入部と、第１指挿入部に隣接して配置されると共に引戸開閉方向に対して交差する方向へ立設されかつ引戸開放時の指掛かりとされる第１指掛かり部と、第２指挿入部に隣接して配置されると共に引戸開閉方向に対して交差す方向へ立設されかつ引戸閉止時の指掛かりとされる第２指掛かり部と、第１指挿入部側に設けられると共に前記押出し手段を構成し、かつ第１指掛かり部から離間するにつれて指掛かり力を減少させる指押出し部と、を備えている、ことを特徴としている。
【０００９】
請求項５記載の本発明に係る引戸用引手は、請求項１乃至請求項４のいずれか一項に記載の発明において、前記押出し手段は、少なくとも一部に、指が引っ掛けられる部分から離間するにつれて指の掛かり代が減少する傾斜部を有するものとして構成されている、ことを特徴としている。
【００１０】
請求項６記載の本発明に係る引戸用引手は、請求項４又は請求項５記載の発明において、前記第２指挿入部側にも前記指押出し部と同一形状の部分が形成されており、前記第１指挿入部と前記第２指挿入部、前記第１指掛かり部と前記第２指掛かり部、前記指押出し部と前記同一形状の部分は、対称に配置されている、ことを特徴としている。
【００１１】
請求項７記載の本発明に係る引戸用引手は、請求項１又は請求項２記載の発明において、前記押出し手段は、引手内へ進退可能に設けられた移動体によって構成されており、当該移動体は、引戸の開閉方向及び移動距離に基づいて進退動作がなされている、ことを特徴としている。
【００１２】
請求項１記載の本発明によれば、閉止状態にある引戸を開放させるには、引戸の開閉方向側の端部付近に設けられた引手に指を引っ掛けて、引戸を開放方向側へ移動させればよい。この過程で指を引っ掛けている引手が戸袋、壁又は相対する引戸の端部側へ近づいていく。つまり、引手と戸袋、壁又は相対する引戸の端部との距離が徐々に縮まっていく。
【００１３】
ここで、本発明では、引手に押出し手段を設けたので、引手と戸袋、壁又は相対する引戸の端部との距離が縮まると、当該押出し手段によって引手に引っ掛けられた指が引手から押し出される。
【００１４】
請求項２記載の本発明によれば、引手が戸袋、壁又は相対する引戸の端部又は端部付近に到達したときに、押出し手段によって引手に引っ掛けられた指が引手から押し出されるので、適切なタイミングで指が引手から押し出される。
【００１５】
請求項３記載の本発明によれば、引戸の開放後に引戸を再び閉止する場合、引手が備える指掛かり手段によって引戸を閉止方向へ移動させるための指掛かりが生じる。つまり、引戸閉止時には指掛かり手段によって指掛かりが得られる。
【００１６】
請求項４記載の本発明によれば、引戸開放時には、指を引手の第１挿入部へ挿入させてから、第１指掛かり部に指を引っ掛けて引戸を開放させればよい。
【００１７】
ここで、本発明では、引手の第１指挿入部側に指押出し部を設けたので、引戸を開放させていくと、第１指掛かり部に引っ掛けた指が戸袋、壁又は相対する引戸の端部に押されて、指が第１指掛かり部から離間していく。これにより、指掛かり力が減少され、最終的には引手から指が押し出される。従って、引戸開放時に戸袋、壁又は相対する引戸の端部との間に指を挟むことはない。
【００１８】
一方、引戸閉止時には、指を引手の第２挿入部へ挿入させてから、第２指掛かり部に指を引っ掛けて引戸を閉止させればよい。
【００１９】
請求項５記載の本発明によれば、押出し手段が少なくとも一部に指が引っ掛けられる部分から離間するにつれて指の掛かり代が減少する傾斜部を有するものとして構成されているため、指掛かり力が減少していくのを感じ取り易い。
【００２０】
請求項６記載の本発明によれば、第２指挿入部側にも指押出し部と同一形状の部分が形成されており、第１指挿入部と第２指挿入部、第１指掛かり部と第２指掛かり部、指押出し部と同一形状の部分が対称に配置されているため、部品の共通化を図ることができる。従って、引手を仮に金属製にするのであれば型が一種類で済み、かつ部品種類ごとに保管スペースを確保する必要がない。
【００２１】
請求項７記載の本発明によれば、引戸開放時には、引戸の移動方向は開放方向である。この移動方向と移動距離に基づいて引手内に進退可能に設けられた移動体が進出方向へ移動される。これにより、引手に引っ掛けられた指が、自動的（電気式又は機械式のいずれでもよい。）に引手から押し出される。従って、介護等を要する使用者に対して非常に便利である。
【発明の効果】
【００２２】
以上説明したように、請求項１記載の本発明に係る引戸用引手は、引戸開放時に、引手と戸袋、壁又は相対する引戸の端部との距離が縮まった際に引手に引っ掛けられた指を引手から押し出すための押出し手段を引手に設けたので、引手と戸袋、壁又は相対する引戸の端部との距離が縮まると、当該押出し手段によって引手に引っ掛けられた指が引手から押し出され、その結果、引戸を開放させた際の指の挟み込みを確実に防止することができるという優れた効果を有する。
【００２３】
請求項２記載の本発明に係る引戸用引手は、請求項１記載の発明において、押出し手段は、引手が戸袋、壁又は相対する引戸の端部又は端部付近に到達したときに、引手に引っ掛けられた指を引手から押し出す構成としたので、適切なタイミングで指が引手から押し出され、その結果、指の挟み込みを防止しつつ引戸をできるだけ大きく開放させることができるという優れた効果を有する。
【００２４】
請求項３記載の本発明に係る引戸用引手は、請求項１又は請求項２記載の発明において、引手に、引戸閉止時に引戸を閉止方向へ移動させるための指掛かりを生じさせる指掛かり手段を備えさせたので、引戸閉止時の指掛かりが得られ、その結果、引戸の開放時に指の挟み込みが防止されるだけでなく、引戸の閉止時の開閉操作性も良好に維持することができるという優れた効果を有する。
【００２５】
請求項４記載の本発明に係る引戸用引手は、請求項１又は請求項２記載の発明において、引手に、引戸開放時に指を所定量挿入可能な第１指挿入部と、引戸閉止時に指を所定量挿入可能な第２指挿入部と、第１指挿入部に隣接して配置されると共に引戸開閉方向に対して交差する方向へ立設されかつ引戸開放時の指掛かりとされる第１指掛かり部と、第２指挿入部に隣接して配置されると共に引戸開閉方向に対して交差す方向へ立設されかつ引戸閉止時の指掛かりとされる第２指掛かり部と、第１指挿入部側に設けられると共に前記押出し手段を構成し、かつ第１指掛かり部から離間するにつれて指掛かり力を減少させる指押出し部と、を備えさせたので、請求項３記載の発明と同様に、引戸の開放時に指の挟み込みが防止されるだけでなく、引戸の閉止時の開閉操作性も良好に維持することができるという優れた効果を有する。
【００２６】
請求項５記載の本発明に係る引戸用引手は、請求項１乃至請求項４のいずれか一項に記載の発明において、押出し手段が少なくとも一部に指が引っ掛けられる部分から離間するにつれて指の掛かり代が減少する傾斜部を有するものとして構成されているため、指掛かり力が減少していくのを感じ取り易く、その結果、使用者に注意を喚起させることができるという優れた効果を有する。
【００２７】
また、本発明によれば、傾斜部を引手の製作時に一体に製作することができると共に、デザインにレリーフのようなアクセントを付けることができるので、製造コストの削減及び高級感を出す等のデザイン上のメリットが得られる。
【００２８】
請求項６記載の本発明に係る引戸用引手は、請求項４又は請求項５記載の発明において、第２指挿入部側にも指押出し部と同一形状の部分が形成されており、第１指挿入部と第２指挿入部、第１指掛かり部と第２指掛かり部、指押出し部と同一形状の部分が対称に配置されているため、部品の共通化を図ることができ、その結果、製造コスト及び部品保管コストを削減することができるという優れた効果を有する。
【００２９】
請求項７記載の本発明に係る引戸用引手は、請求項１又は請求項２記載の発明において、押出し手段は引手内へ進退可能に設けられた移動体によって構成されており、当該移動体は引戸の開閉方向及び移動距離に基づいて進退動作がなされているため、高齢化社会・福祉社会に優しい引手を提供することができるという優れた効果を有する。
【発明を実施するための最良の形態】
【００３０】
〔第１実施形態〕
以下、図１〜図３を用いて、本発明に係る引戸用引手の第１実施形態について説明する。
【００３１】
図３には、第１実施形態に係る引戸１０の概略正面図が示されている。この図に示されるように、引戸１０は、敷居１２の枠内に溝又はレール１４に沿って水平方向に移動可能に嵌め込まれた一方の引戸１６と相対する他方の引戸１８とによって構成されている。なお、引戸１０の開閉形式は、本実施形態のように引き違い戸でもよいし、片引戸、両引戸、引き込み戸のいずれであってもよい。
【００３２】
一方の引戸１６は、矢印Ｐ方向へ所定距離スライドさせると閉止状態となり、反対方向である矢印Ｑ方向へ所定距離スライドさせると開放状態となる。なお、本図では、他方の引戸１８については一部のみを図示している。また、この実施形態では、引き違いの引戸１０を例にして説明しているが、他方の引戸１８を戸袋や壁に置き換えてもよい。
【００３３】
上記一方の引戸１６の戸先側（閉止方向側）の端部の高さ方向略中間部には、底の浅い掘り込み２０（別の実施形態の図面である図１０に図示）が形成されている。かかる掘り込み２０には、引戸開閉時に指を掛けるための掘り込み型の引手２２が取り付けられている（嵌着されている）。以下、本実施形態の要部である引手２２の構成について詳細に説明する。
【００３４】
図１には、上述した引手２２の拡大正面図が示されている。また、図２（Ａ）、（Ｂ）には、当該引手２２の上部及び下部における横断面図（水平断面図）がそれぞれ示されている。これらの図に示されるように、引手２２は、正面視で矩形状とされた薄型の箱体形状に形成されている。
【００３５】
上記引手２２の上部左側には、引戸開放時に指を所定量挿入することが可能な第１指挿入部２４が形成されている。第１指挿入部２４に臨む位置（隣接する位置）には、戸尻側に位置する側壁２６Ａが配置されている。かかる戸尻側の側壁２６Ａにおける第１指挿入部２４と対面する部分が引戸開放時の第１指掛かり部２８とされている。
【００３６】
同様に、引手２２の下部右側には、引戸閉止時に指を所定量挿入することが可能な第２指挿入部３０が形成されている。第２指挿入部３０と第１指挿入部２４とは同一形状とされている。また、第２指挿入部３０に臨む位置（隣接する位置）には、戸先側に位置する側壁２６Ｂが配置されている。かかる戸先側の側壁２６Ｂにおける第２指挿入部３０と対面する部分が引戸閉止時の第２指掛かり部３２とされている。
【００３７】
さらに、第１指挿入部２４の周囲には、指押出し部及び傾斜部としての第１傾斜面３４が形成されている。この第１傾斜面３４は、図２（Ａ）に示されるように、横断面視で滑り台形状に形成されている。すなわち、第１指掛かり部２８に至る部分が最も低く、引手２２の対角線Ｒ（図１参照）付近が最も高く、途中をスロープで結んだ傾斜曲面形状に形成されている。なお、図１では、第１傾斜面３４の傾斜度合いを等高線状に表現している。
【００３８】
上記構成の第１傾斜面３４を指の掛かり代（深さ）との関係で表現すると、第１指掛かり部２８に至る部分が最も深く、引手２２の対角線Ｒ付近が最も浅く、第１指掛かり部２８から戸先側へ向かうにつれて（離間するにつれて）徐々に浅くなっている。従って、第１指掛かり部２８側で指の掛かり代が最も大きくなり、そこから戸先側へ向かうにつれて指の掛かり代が徐々に減少していき、引手２２の対角線Ｒ付近で指の掛かり代が最も小さくなる。
【００３９】
同様に、第２指挿入部３０の周囲にも、第２傾斜面３６が形成されている。この第２傾斜面３６は、図２（Ｂ）に示されるように、横断面視で滑り台形状に形成されている。すなわち、第２指掛かり部３２に至る部分が最も低く、引手２２の対角線Ｒ付近が最も高く、途中をスロープで結んだ傾斜曲面形状に形成されている。なお、図１では、第２傾斜面３６の傾斜度合いを等高線表記で表現している。
【００４０】
上記構成の第２傾斜面３６を指の掛かり代（深さ）との関係で表現すると、第２指掛かり部３２に至る部分が最も深く、引手２２の対角線Ｒ付近が最も浅く、第２指掛かり部３２から戸尻側へ向かうにつれて（離間するにつれて）徐々に浅くなっている。従って、第２指掛かり部３２側で指の掛かり代が最も大きくなり、そこから戸先側へ向かうにつれて指の掛かり代が徐々に減少していき、引手２２の対角線Ｒ付近で指の掛かり代が最も小さくなる。
【００４１】
但し、第２傾斜面３６は、本発明における指押出し部（指押出し手段）としての機能を果たすものではない。生産上及びデザイン上の理由から、引手２２の形状を対称形状（この場合、回転対称形状）としたので、形状的に同じになっているだけである。
【００４２】
（本実施形態の作用・効果）
次に、本実施形態の作用並びに効果を説明する。
【００４３】
閉止状態にある一方の引戸１６を開放させるには、一方の引戸１６の戸先側に設けられた引手２２の第１指挿入部２４に指を挿入してから、第１指掛かり部２８に指を引っ掛けて（図２の矢印Ｓ１参照）、一方の引戸１６を開放方向である他方の引戸１８側へ移動させればよい。この過程で指を引っ掛けている方の引手２２が他方の引戸１８の戸尻側の端部１８Ａ（図３参照）へ近づいていく。つまり、引手２２と相対する他方の引戸１８の戸尻側の端部１８Ａとの距離が徐々に縮まっていく。
【００４４】
ここで、本実施形態に係る引戸用引手では、引手２２の第１指挿入部２４の周囲に指押出し部としての第１傾斜面３４を設けたので、引手２２と相対する他方の引戸１８の戸尻側の端部１８Ａとの距離が縮まると、当該第１傾斜面３４によって引手２２の第１指掛かり部２８に引っ掛けられた指が引手２２から押し出される。
【００４５】
より詳細に説明すると、一方の引戸１６を全開させるべく、引手２２の第１指掛かり部２８に指を引っ掛けて当該一方の引戸１６を図３の矢印Ｑ方向へ移動させていくと、当該引戸１６の第１指掛かり部２８が相対する他方の引戸１８の戸尻側の端部１８Ａに到達した時点で指の腹が当該戸尻側の端部１８Ａに接触する。接触後、通常は引戸１０はスムーズに開閉されるように造られているため、一方の引戸１６は慣性力（惰性）によってなおも閉止方向へゆっくりと移動する。このため、指の腹は他方の引戸１８の戸尻側の端部１８Ａに接触したまま、引手２２が戸尻側の端部１８Ａに徐々に隠れるように閉止方向側へ相対移動していく。これにより、指の腹が第１指掛かり部２８から離れ、指先が第１傾斜面３４の第１傾斜面３４上を相対的に摺動していく（なぞる）。第１傾斜面３４は当該傾斜面を構成する窪みの深さが第１指掛かり部２８から引戸閉止方向側へ離間するにつれて徐々に浅くなるように形成されているため、指先が第１傾斜面３４上を摺動していくにつれて指掛かり代も減少していく。従って、一方の引戸１６に対する指掛かり力も減少していく。そして、終には指が引手２２内から押し出される。その結果、本実施形態によれば、引戸開放時に引手２２と相対する他方の引戸１８の戸尻側の端部１８Ａとの間に指を挟むことが無くなる。
【００４６】
なお、一方の引戸１６を開放させた後に再び閉止する場合には、引手２２が備える第２指挿入部３０へ指を挿入させてから、第２指掛かり部３２に指を引っ掛けて引戸閉止方向へ一方の引戸１６を押せば、一方の引戸１６を再び閉止状態にすることができる。
【００４７】
以上の説明より、本実施形態に係る引戸用引手によれば、引戸１０を開放させた際の指の挟み込みを確実に防止することができる。
【００４８】
また、本実施形態に係る引戸用引手では、引手２２の第１指掛かり部２８が相対する他方の引戸１８の戸尻側の端部１８Ａに到達したときに、第１傾斜面３４によって第１指掛かり部２８に引っ掛けられた指が引手２２から押し出されるので、適切なタイミングで指が引手２２から押し出される。その結果、本実施形態によれば、指の挟み込みを防止しつつ一方の引戸１６、他方の引戸１８をできるだけ大きく開放させることができる。
【００４９】
さらに、本実施形態に係る引戸用引手では、引戸開放時に使用する第１指挿入部２４、第１指掛かり部２８、第１傾斜面３４のみならず、引戸閉止時に使用する第２指挿入部３０及び第２指掛かり部３２を設けたので、引戸１６、１８の開放時に指の挟み込みが防止されるだけでなく、引戸１６、１８の閉止時の開閉操作性も良好に維持することができる。
【００５０】
また、本実施形態に係る引戸用引手では、押出し手段としての第１傾斜面３４が、第１指掛かり部２８から指先が相対的に離間するにつれて指先の引手２２への掛かり代が徐々に減少して、指掛かり力が減少するように形成されているため、指掛かり力が減少していくのを感じ取り易い。その結果、本実施形態によれば、使用者に注意を喚起させることができる。
【００５１】
加えて、本実施形態に係る引戸用引手では、第１傾斜面３４及び第２傾斜面３６を引手２２の製作時に一体に製作することができると共に、デザインにレリーフのようなアクセントを付けることができるので、製造コストの削減及び高級感を出す等のデザイン上のメリットが得られる。
【００５２】
さらに、本実施形態に係る引戸用引手では、第２指挿入部３０側にも指押出し部としての第１傾斜面３４と同一形状の第２傾斜面３６が形成されているため、第１指挿入部２４と第２指挿入部３０、第１指掛かり部２８と第２指掛かり部３２、第１傾斜面３４と第２傾斜面３６といったすべての要素が対称に配置される。このため、部品の共通化を図ることができる。従って、引手２２を仮に金属製にするのであれば型が一種類で済み、かつ部品種類ごとに保管スペースを確保する必要がない。その結果、本実施形態によれば、製造コスト及び部品保管コストを削減することができる。
【００５３】
〔第２実施形態〕
以下、図４及び図５を用いて、本発明に係る引戸用引手の第２実施形態について説明する。なお、前述した第１実施形態と同一構成部分については、同一番号を付してその説明を省略する。
【００５４】
図４には、第２実施形態に係る引戸用引手４０の拡大正面図が示されている。また、図５（Ａ）、（Ｂ）、（Ｃ）には、当該引手４０の上部、中間部、及び下部における横断面図（水平断面図）がそれぞれ示されている。
【００５５】
これらの図に示されるように、この実施形態では、引手４０の対角線Ｒに沿って所定幅の平坦部４２が形成されており、かかる平坦部４２を境にして上下に同一勾配の単一平面から成る第１傾斜面４４及び第２傾斜面４６が形成されている点に特徴がある。
【００５６】
なお、この引手４０においても、前述した第１実施形態と同様の第１指掛かり部２８及び第２指掛かり部３２を備えている他、第１実施形態とは異なる直角三角形状とされた第１指挿入部４８及び第２指挿入部５０が形成されている。
【００５７】
上記構成によっても、考え方は基本的に前述した第１実施形態と同じであるため、第１実施形態において説明した作用及び効果は同様に得られる。
【００５８】
補足すると、デザイン的には第１傾斜面４４及び第２傾斜面４６、第１指挿入部４８及び第２指挿入部５０、並びに平坦部４２といった要素のすべてが平面で構成されているため、第１実施形態の引手２２のデザインが曲面や曲線を多用することにより柔和な印象を看者に与えるのに対し、この実施形態の引手４０のデザインは引き締まった印象を看者に与えるといったデザイン上の違いはある。
【００５９】
また、第１傾斜面４４が所定勾配の単一平面による傾斜面として構成されているため、引戸開放時の指掛かり力の減少度合いが一様（一次関数的）であるという違いもある。
【００６０】
〔第３実施形態〕
以下、図６〜図９を用いて、本発明に係る引戸用引手の第３実施形態について説明する。なお、前述した第１実施形態等と同一構成部分については、同一番号を付してその説明を省略する。
【００６１】
まず、図６及び図７に示される実施形態について説明する。図６には、第３実施形態に係る引戸用引手６０の拡大斜視図が示されている。また、図７（Ａ）、（Ｂ）には、当該引手６０の横断面図（水平断面図）及び縦断面図（垂直断面図）がそれぞれ示されている。
【００６２】
これらの図に示されるように、この実施形態では、引手６０の戸尻側の側壁２６Ａ及び戸先側の側壁２６Ｂを斜めに横切るように所定幅の平坦部６２が形成されており、かかる平坦部６２を境にして上下に所定勾配の複数平面から成る第１傾斜面６４及び第２傾斜面６６が形成されている点に特徴がある。
【００６３】
なお、この引手６０においても、前述した第１実施形態と同様の第１指掛かり部２８及び第２指掛かり部３２を備えている他、第１実施形態とは異なる台形状とされた第１指挿入部６８及び第２指挿入部７０が形成されている。
【００６４】
第１傾斜面６４について補足すると、第１傾斜面６４は、引手６０の第１指掛かり部２８の上底側の縁から戸先側の側壁２６Ｂの上縁へ向けて所定の勾配で傾斜する傾斜面６４Ａと、第１指掛かり部２８の斜辺側の縁から平坦部６２へ向けて所定の勾配で傾斜する傾斜面６４Ｂとの二面構成になっている。第２傾斜面６６も、第１傾斜面６４と同様に、勾配と傾斜方向が異なる二種類の傾斜面６６Ａ、６６Ｂの二面構成になっている。
【００６５】
なお、こうした複数面構成の引手６０は、樹脂インジェクションや亜鉛ダイキャスト等によって製作される。
【００６６】
上記構成によっても、考え方は基本的に前述した第１実施形態及び第２実施形態と同じであるため、第１実施形態、第２実施形態において説明した作用及び効果は同様に得られる。
【００６７】
また、勾配と傾斜方向が異なる複数種類の平面で第１傾斜面６４を構成することにより、引戸開放時に指が押し出される際の移動経路を複数の傾斜面６４Ａ、６４Ｂの中から選択することができるので、使用者の好みに合わせて使う面を決める選択の自由度が生まれるといった効果がある。
【００６８】
なお、上記図６及び図７に示される実施形態に替えて、図８、図９に示される構成を採るようにしてもよい。
【００６９】
図８に示される例では、引手７２が左右対称形状とされており、断面形状が略山形とされている。従って、第１傾斜面７４、第２傾斜面７６のいずれも一面構成で正面視で矩形状である。
【００７０】
図９に示される引手７８も左右対称形状であるが、中央の仕切り壁８０を境に断面形状が直角三角形状の掘り込みが左右に形成されている。従って、仕切り壁８０の右側面８０Ａが第１指掛かり部となり、左側面８０Ｂが第２指掛かり部となっている。また、第１傾斜面８２は仕切り壁８０の右側に形成され、第２傾斜面８４は仕切り壁８０の左側に形成される。
【００７１】
上記図８、図９に示される実施形態では、傾斜部の構成が一平面構成とされているので、その意味では前述した第２実施形態に属する実施形態である。
【００７２】
〔第４実施形態〕
以下、図１０〜図１２を用いて、本発明に係る引戸用引手の第４実施形態について説明する。なお、前述した第１実施形態等と同一構成部分については、同一番号を付してその説明を省略する。
【００７３】
まず、図１０に示される実施形態について説明する。この実施形態に係る引手９０では、通常は引戸開放時における指の挟み込み防止機能のみを有する状態とされ（即ち、引戸閉止時の指掛かりが存在しない状態とされ）、引戸閉止時には使用者によって指掛かりを生じさせる傾斜ピース９２を備えている点に特徴がある。
【００７４】
具体的には、この図に示されるように、引手９０の中央戸先寄りの所定位置には、上下一対の支持部９４が平行に配設されている。この上下一対の支持部９４には、横断面形状が略直角三角形状とされた傾斜ピース９２が回転軸９６回りに回転可能に軸支されている。傾斜ピース９２は、直角三角形の斜辺に相当する部分が緩やかに湾曲した凹状の斜面９２Ａを構成しており、直角三角形の底辺に相当する起立面９２Ｂ及び直角三角形の高さに相当するストッパ面９２Ｃはいずれも平面で構成されている。
【００７５】
また、回転軸９６には広義には付勢手段として把握される捩じりコイルスプリング９８が巻装されており、その一端部は支持部９４に係止され、他端部は起立面９２Ｂに係止されている。従って、捩じりコイルスプリング９８は、傾斜ピース９２を常時実線図示位置から二点鎖線図示位置方向へ回転付勢している。
【００７６】
さらに、引手９０の底部には、傾斜ピース９２を指で起こした際の回転ストロークを規制するためのストッパ９９が形成されている。
【００７７】
なお、上記構成の内、傾斜ピース９２及び捩じりコイルスプリング９８が請求項３記載の本発明における指掛かり手段に相当する。
【００７８】
上記構成によれば、一方の引戸１６を図上左方向へ移動させて開放状態とする場合には、指を第１指挿入部２４に挿入して第１指掛かり部２８に指を引っ掛けて開放方向へ押せばよい。一方の引戸１６の移動量が所定量に達すると、指の腹が他方の引戸１８の戸尻側の端部１８Ａに接触し、傾斜ピース９２の傾斜面９２Ａ上を相対的に摺動していく。従って、指を双方の引戸１６、１８の間に挟み込むことが防止される。
【００７９】
一方、引戸１６の開放後に当該引戸１６を再び閉止する場合には、捩じりコイルスプリング９８の付勢力に抗して傾斜ピース９２の先端部に指先を引っ掛けて矢印Ｔ方向へ引き起こす（回転させる）。これにより、一方の引戸１６を閉止方向へ移動させるための指掛かりが生じる。そして、傾斜ピース９２のストッパ面９２Ｃがストッパ９９に当接すると、傾斜ピース９２の回転動作が停止するので、起立面９２Ｂに指を引っ掛けてそのまま一方の引戸１６を引戸閉止方向へ押せばよい。なお、引戸閉止後に指先を起立面９２Ｂから離せば、傾斜ピース９２は捩じりコイルスプリング９８の付勢力によって元の状態に復帰する。
【００８０】
次に、図１１に示される実施形態について説明する。この実施形態に係る引手１００では、通常は引戸開放時における指の挟み込み防止機能のみを有する状態とされ（即ち、引戸閉止時の指掛かりが存在しない状態とされ）、引戸閉止時には使用者によって指掛かりを生じさせる傾斜ピース１０２を備えている点に特徴がある。
【００８１】
具体的には、この図に示されるように、引手１００の中央部の所定位置には、支持部１０４が設けられている。この支持部１０４には、シーソー状の傾斜ピース１０２の中央支持部１０６が回転軸１０８回りに回転可能に軸支されている。傾斜ピース１０２の本体部１１０は平板状に形成されており、支持部１０４を中心として戸尻側半分を占める開放時押圧部１１０Ａと、戸先側半分を占める閉止時押圧部１１０Ｂと、によって構成されている。
【００８２】
また、上記傾斜ピース１０２の閉止時押圧部１１０Ｂの裏面と引手１００の底面との間には、広義には付勢手段として把握される圧縮コイルスプリング１１２が配設されている。圧縮コイルスプリング１１２の一端部は引手１００の底面に当接係止されており、他端部は閉止時押圧部１１０Ｂの裏面に当接係止されている。従って、圧縮コイルスプリング１１２は、傾斜ピース９２の閉止時押圧部１１０Ｂを常時引手外方へ押圧付勢している。従って、通常は、傾斜ピース１０２は二点鎖線図示位置に保持されており、引戸開放時の第１指掛かり部２８が露見するように傾いた状態で保持されている。
【００８３】
上記構成によれば、一方の引戸１６を図上左方向へ移動させて開放状態とする場合には、指を第１指掛かり部２８に引っ掛けて開放方向へ押せばよい。一方の引戸１６の移動量が所定量に達すると、指の腹が他方の引戸１８の戸尻側の端部１８Ａに接触し、傾斜ピース１０２の傾斜面となって配置されている開放時押圧部１１０Ａ上を相対的に摺動していく。従って、指を双方の引戸１６、１８の間に挟み込むことが防止される。
【００８４】
一方、引戸１６の開放後に当該引戸１６を再び閉止する場合には、圧縮コイルスプリング１１２の付勢力に抗して傾斜ピース１０２の閉止時押圧部１１０Ｂが引手１００の底面側へ押圧される。このため、傾斜ピース１０２は圧縮コイルスプリング１１２の付勢力に抗して回転軸１０８回りに回転する。これにより、第２指掛かり部３２が現れる。つまり、一方の引戸１６を閉止方向へ移動させるための指掛かりが生じる。そして、第２指掛かり部３２に指を引っ掛けて一方の引戸１６をそのまま引戸閉止方向へ押せばよい。引戸閉止後に指先を閉止時押圧部１１０Ｂから離すと、傾斜ピース１０２は圧縮コイルスプリング１１２の付勢力によって自動的に元の状態に復帰する。
【００８５】
次に、図１２に示される実施形態について説明する。この実施形態に係る引手１２０では、通常は引戸開放時における指の挟み込み防止機能のみを有する状態とされ（即ち、引戸閉止時の指掛かりが存在しない状態とされ）、引戸閉止時には使用者によって指掛かりを生じさせる傾斜ピース１２２を備えている点に特徴がある。
【００８６】
具体的には、この図に示されるように、引手１２０の略中央部には、レバー状の傾斜ピース１２２が配設されている。傾斜ピース１２２の略中間部は、引手１２０の上下方向を軸方向とする回転軸１２４回りに回転可能に軸支されている。回転軸１２４には図示しない捩じりコイルスプリング等の付勢手段が巻装されており、一端部は傾斜ピース１２２に係止され、又他端部は引手１２０に係止されている。従って、傾斜ピース１２２は、付勢手段によって常時矢印Ｕ方向と反対方向へ回転付勢されている。これにより、通常は、傾斜ピース１２２は引戸開放時の第１指掛かり部２８が露見する状態で保持されている。
【００８７】
傾斜ピース１２２は、引戸開放時に挟み込み防止機能を発揮する傾斜部としての傾斜面１２２Ｂと、通常は引手１２０の底面と対面状態で配置される指掛け部１２２Ａと、裏面側の肉が平面視で四分円形状に切り欠かれることにより形成されたレバー状の押込み部１２２Ｃと、を備えている。
【００８８】
上記構成によれば、一方の引戸１６を図上左方向へ移動させて開放状態とする場合には、指を第１指挿入部２４に挿入して第１指掛かり部２８に指を引っ掛けて開放方向へ押せばよい。一方の引戸１６の移動量が所定量に達すると、指の腹が他方の引戸１８の戸尻側の端部１８Ａに接触し、傾斜ピース１２２の傾斜面１２２Ｂ上を相対的に摺動していく。従って、指を双方の引戸１６、１８の間に挟み込むことが防止される。
【００８９】
一方、引戸１６の開放後に当該引戸１６を再び閉止する場合には、まず、傾斜ピース１２２の押込み部１２２Ｃを引手１２０の底面側へ指で押圧する。これにより、傾斜ピース１２２は図示しない捩じりコイルスプリングの付勢力に抗して回転軸１２４回りに矢印Ｕ方向へ回転して、指掛け部１２２Ａが起立状態で現れる。次に、指掛け部１２２Ａに指を引っ掛けてそのまま一方の引戸１６を引戸閉止方向へ押せばよい。引戸閉止後に指先を指掛け部１２２Ａから離すと、傾斜ピース１２２は捩じりコイルスプリングの付勢力によって元の状態に復帰する。
【００９０】
このように上記各実施形態では、引戸閉止時に引戸１６を閉止方向へ移動させるための指掛かりを生じさせる構成を設定したので、引戸閉止時に指掛かりが得られ、その結果、引戸１６の開放時に指の挟み込みが防止されるだけでなく、引戸１６の閉止時の開閉操作性も良好に維持することができる。
【００９１】
〔第５実施形態〕
以下、図１３〜図１５を用いて、本発明に係る引戸用引手の第５実施形態について説明する。なお、前述した第１実施形態等と同一構成部分については、同一番号を付してその説明を省略する。
【００９２】
図１３に示されるように、この実施形態では、壁１３０に引戸１３２が納まる凹部１３４が形成されており、引戸閉止時に引手１３６が所定量だけ閉止方向へ移動すると、引手１３６内に設けられた移動体１３８が電気式で進退する構成になっている点に特徴がある。
【００９３】
具体的に説明すると、壁１３０の張り出し部１３０Ａの奥側には、所定の間隔をあけて第１マーカ１４０と第２マーカ１４２とが設定されている。
【００９４】
一方、図１４に示されるように、引戸１３２側には引手１３６の底部奥側にアクチュエータ１４４が配設されている。アクチュエータ１４４はモータやソレノイド等によって構成されており、引手１３６の底部に対して接近及び離間する方向へ移動可能とされた棒状の連結部材１４６を備えている。連結部材１４６の先端部には、平断面形状が直角三角形状とされた移動体１３８の底面部分１３８Ａが連結されている。また、移動体１３８は、戸尻側の頂点を支点として回転可能に支持されている。さらに、移動体１３８の斜面部分１３８Ｂは引手１３６側へ向けられている。また、移動体１３８の幅方向寸法は引手１３６の底部の幅に略一致されており、又移動体１３８の厚さ（高さ）は引手１３６の深さに略一致されている。
【００９５】
また、図１３に戻り、引戸１３２の戸尻側の端部（壁１３０側の面）には、第１マーカ１４０及び第２マーカ１４２を検知可能な位置検出センサ１４８が配設されている。
【００９６】
上記構成によれば、引戸１３２の閉止状態のときには、位置検出センサ１４８からの検出信号が図示しない制御手段に入力されないので、アクチュエータ１４４は非通電状態とされる。このため、連結部材１４６は退出位置に保持されており、移動体１３８も引手１３６の底部の奥側に退避している。
【００９７】
この状態から引戸１３２を開放させていくと、戸尻側の端部に配設された位置検出センサ１４８が第１マーカ１４０と対向し、第１マーカ１４０に到達したことが検出される。その検出信号は図示しない制御手段に送られて、これによりアクチュエータ１４４に所定電流が通電される。その結果、例えばモータが駆動し、連結部材１４６がアクチュエータ１４４から進出し始め、移動体１３８を引手１３６内方へ押し出し始める。移動体１３８は戸尻側の頂点を支点として回転可能に支持されているため、連結部材１４６によって移動体１３８が引手１３６内に押し出されると、斜面部分１３８Ｂが図１４の二点鎖線図示位置に向かって動き出す。そして、位置検出センサ１４８が第２マーカ１４２と対向すると、その検出信号が制御手段に送られて、アクチュエータ１４４への通電状態が解除される。これにより、アクチュエータ１４４の例えばモータ等の駆動が停止されて、移動体１３８は二点鎖線図示位置に保持される。
【００９８】
なお、引戸１３２を再び閉止する際にはモードが逆になり、第２マーカ１４２が検出されたら、アクチュエータ１４４の例えばモータが逆転駆動され、その後、第１マーカ１４０が検出された時点でアクチュエータ１４４への通電状態が解除される。
【００９９】
以上より、本実施形態によれば、引戸１３２の全開直前に引手１３６内に指を押し出すための移動体１３８の斜面部分１３８Ｂが現れるため、前述した第１実施形態等と同様の指の挟み込み防止効果が得られる。また、引戸１３２の閉止時には移動体１３８は引手１３６内から退避されているので、第２指掛かり部３２が現れた状態になる。従って、引戸閉止時の開閉操作性も良好に維持される。
【０１００】
なお、上記構成では、平断面形状が直角三角形状とされた移動体１３８を使用したが、これに限らず、図１５に示されるように、平断面形状が直方体形状とされた移動体１５０を使用してもよい。この場合、移動体１５０は回転動作ではなくスライド動作となり、引戸開放時には傾斜面を使うことなく、移動体１５０が引手１３６内を埋めることにより、自動的に指が押し出される。
【０１０１】
このような電気的な引手構造は、介護等を要する使用者に対して非常に便利であり、高齢化社会・福祉社会に優しい引手を提供することができる。
【０１０２】
なお、上記構成では電気的な手段によって移動体１３８、１５０を移動させることとしたが、これに限らず、機械的な構成によって移動体１３８、１５０を移動させることも可能である。例えば、第１マーカ１４０及び第２マーカ１４２に相当する部分に突起等を設けておき、引戸１３２の戸尻側の端部が第１マーカ１４０と干渉すると、リンクを介して移動体１３８が引手１３６内へ押し出され始め、第２マーカ１４２と干渉した時点でリンクの移動が止められるようにしておけばよい。
【０１０３】
また、上記構成では、二箇所にマーカを設定したが、これに限らず、一箇所にマーカを設置する構成を採ることも可能である。例えば、マーカを検出した時点でタイマが起動され、所定時間経過後にアクチュエータへの通電が解除されるように制御するようにしてもよい。
【０１０４】
さらに、第１マーカ１４０、第２マーカ１４２として、リミットスイッチを用いるようにしてもよい。
【０１０５】
〔本実施形態の補足説明〕
なお、本発明における傾斜部には、単一平面によって構成されるもの、複数の平面の組み合わせから成る複合平面によって構成されるもの、曲面によって構成されるものが含まれる他、複数の凹凸部を連続させた凸凹形状であるが、複数の凸部の先端面を繋げていくと全体として傾斜した形状が形成されるもの、多数の櫛状の突起から成り、突起の先端部を含む面が傾斜した平面又は曲面によって構成されるもの等、本発明の効果が得られる形状・構造のものであれば、本発明における傾斜部の概念に含まれる。
【０１０６】
また、上述した各実施形態では、引戸１６、１８とは別個独立に引手２２等を使用する構成について説明したが、これに限らず、引戸そのものに掘り込み部の形状として第１実施形態で説明したような第１傾斜面３４、第２傾斜面３６等を設定するようにしてもよい。この場合においても同様の作用・効果が得られる。
【図面の簡単な説明】
【０１０７】
【図１】第１実施形態に係る引戸用引手の拡大正面図である。
【図２】（Ａ）は図１に示される引手のＡ‐Ａ線断面図であり、（Ｂ）は図１に示される引手のＢ‐Ｂ線断面図である。
【図３】第１実施形態に係る引戸の概略正面図である。
【図４】第２実施形態に係る引戸用引手の拡大正面図である。
【図５】（Ａ）は図４に示される引手のＡ‐Ａ線断面図であり、（Ｂ）は図４に示される引手のＢ‐Ｂ線断面図であり、（Ｃ）は図４に示される引手のＣ‐Ｃ線断面図である。
【図６】第３実施形態に係る引戸用引手の拡大斜視図である。
【図７】（Ａ）は図６に示される引手のＡ‐Ａ線断面図であり、（Ｂ）は図５に示される引手のＢ‐Ｂ線断面図である。
【図８】左右対称形状で傾斜部が一面構成とされた引手の横断面図である。
【図９】左右対称形状で傾斜部が一面構成とされた別の実施形態に係る引手の横断面図である。
【図１０】第４実施形態に係る引戸用引手の横断面図である。
【図１１】第４実施形態に係る別の引戸用引手の横断面図である。
【図１２】第４実施形態に係る別の引戸用引手の横断面図である。
【図１３】第５実施形態に係る引戸用引手を含む全体構成を示す平面図である。
【図１４】第５実施形態で使用する引手構造の詳細を示す要部拡大横断面図である。
【図１５】図１４とは異なる移動体を用いた引手構造の詳細を示す要部拡大横断面図である。
【符号の説明】
【０１０８】
１０      引戸
１６      一方の引戸
１８      他方の引戸
２２      引手
２４      第１指挿入部
２８      第１指掛かり部
３０      第２指挿入部
３２      第２指掛かり部
３４      第１傾斜面（押出し手段、指押出し部、傾斜部）
３６      第２傾斜面（指押出し部と同一形状の部分）
４０      引手
４４      第１傾斜面（押出し手段、指押出し部、傾斜部）
４６      第２傾斜面（指押出し部と同一形状の部分）
４８      第１指挿入部
５０      第２指挿入部
６０      引手
６４      第１傾斜面（押出し手段、指押出し部、傾斜部）
６６      第２傾斜面（指押出し部と同一形状の部分）
６８      第１指挿入部
７０      第２指挿入部
７２      引手
７４      第１傾斜面（押出し手段、指押出し部、傾斜部）
７６      第２傾斜面（指押出し部と同一形状の部分）
７８      引戸
８０      第１傾斜面（押出し手段、指押出し部、傾斜部）
８２      第２傾斜面（指押出し部と同一形状の部分）
９０      引手
９２      傾斜ピース（指掛かり手段）
９８      捩じりコイルスプリング（指掛かり手段）
１００    引手
１０２    傾斜ピース（指掛かり手段）
１１２    圧縮コイルスプリング（指掛かり手段）
１２０    引手
１２２    傾斜ピース（指掛かり手段）
１３２    引戸
１３６    引手
１３８    移動体
１４０    第１マーカ
１４２    第２マーカ
１４４    アクチュエータ
１４６    連結部材
１４８    位置検出センサ
１５０    移動体
【図１】
2006342552.tif 000003
【図２】
2006342552.tif 000004
【図３】
2006342552.tif 000005
【図４】
2006342552.tif 000006
【図５】
2006342552.tif 000007
【図６】
2006342552.tif 000008
【図７】
2006342552.tif 000009
【図８】
2006342552.tif 000010
【図９】
2006342552.tif 000011
【図１０】
2006342552.tif 000012
【図１１】
2006342552.tif 000013
【図１２】
2006342552.tif 000014
【図１３】
2006342552.tif 000015
【図１４】
2006342552.tif 000016
【図１５】
2006342552.tif 000017